(57)【要約】【課題】  取付作業を簡単にし、作業時間も短くすることができ、もって、収容台車の製造コストを低減することができる収納台車及びそれに適用可能な係止プレートの製造方法の提供【解決手段】  複数の折り畳み器具８０を収納することが可能な収納台車１であって、収納台車１の外形を形成する台枠２と、台枠２に取り付けられ、折り畳み器具８０を係止する係止プレート３とを備え、係止プレート３は、係止プレート３の長手方向に一定間隔で打ち抜かれた複数の開口１６を有し、係止プレート３の長手方向に対して直交する短手方向の両端部１７は、各開口１６の該短手方向の両端部分３０を含むように内方に折り曲げられており、これによって、各開口１６の両端部分３０によって折り畳み器具８０を係止する。係止プレート３の両端部１７は、さらに外方に折り曲げられてフランジ状に形成されている方が好ましい。【選択図】  図１
2005059717.tif 000002
【特許請求の範囲】
【請求項１】
複数の折り畳み器具を収納することが可能な収納台車であって、
台枠と、
前記台枠に取り付けられ、前記折り畳み器具を係止する係止プレートとを備え、
前記係止プレートは、一定間隔で打ち抜かれた複数の開口を有し、該開口に前記折り畳み器具の一部を係止させて該折り畳み器具を収納することを特徴とする収容台車。
【請求項２】
複数の折り畳み器具を収納することが可能な収納台車であって、
台枠と、
前記台枠に取り付けられ、前記折り畳み器具を係止する係止プレートとを備え、
前記係止プレートは、前記係止プレートの長手方向に一定間隔で打ち抜かれた複数の開口を有し、
前記係止プレートの長手方向に対して直交する短手方向の両端部は、前記各開口の該短手方向の両端部分を含むように下側に折り曲げられており、これによって、前記各開口の該両端部分によって前記折り畳み器具の一部を係止可能であることを特徴とする収容台車。
【請求項３】
請求項２に記載の収容台車において、
前記係止プレートの前記両端部は、さらに外方に折り曲げられてフランジ状に形成されていることを特徴とする収容台車。
【請求項４】
請求項１乃至３のいずれか一項に記載の収容台車において、
前記折り畳み器具は、折り畳み椅子であり、該折り畳み椅子の脚部が前記開口に係止可能であることを特徴とする収納台車。
【請求項５】
複数の折り畳み器具を収納することが可能な収納台車に適用可能な、該折り畳み器具の一部を係止するための係止プレートの製造方法であって、
剛性を有する平板をその長手方向に沿って一定間隔で打ち抜いて複数の開口を形成する打ち抜き工程と、
前記打ち抜き工程において前記複数の開口が形成された前記平板の長手方向に対して直交する短手方向の両端部を、前記各開口における前記平板の短手方向の両端部分を含むように下側に折り曲げて係止プレートとする第１折り曲げ工程とを備えていることを特徴とする係止プレートの製造方法。
【請求項６】
請求項５に記載の係止プレートの製造方法において、
前記第１折り曲げ工程後に前記係止プレートの前記両端部を外方に折り曲げてフランジ部を形成する第２折り曲げ工程をさらに備えていることを特徴とする係止プレートの製造方法。
【請求項７】
請求項５または６に記載の係止プレートの製造方法により製造された収納台車用の係止プレート。
【発明の詳細な説明】
【技術分野】
【０００１】
本発明は、体育館などの館内、あるいは教室や会議室などの室内において利用される折り畳み椅子等の折り畳み器具を収容するための収納台車、それに適用可能な係止プレートの製造方法及び該製造方法により製造された収納台車用の係止プレートに関するものである。
【背景技術】
【０００２】
従来において、複数の折り畳み椅子を収納することができる収納台車あるいは収納台枠が知られている（例えば、特許文献１乃至３参照）。図７は、従来における収納台車の一例を示している。図７に示すように、収納台車７０は、その幅方向に一定の間隔をおいて配置された一対の枠体７１（一方のみを示す）を、その二つの枠体７１の間に配置された複数のアングル状係止部材７２によって連結し、また各枠体７１の前方下側部及び後方下側部にキャスター７３をそれぞれ取り付けらて構成されるものである。枠体７１の前端部（図７において左側）は、直角に上方に折り曲げられており、その上端において一対の枠体７１は連結部材７５によって連結されている。
【０００３】
複数の係止部材７２は、枠体７１とは別個に形成され、その横断面がＬ字状に形成されたアングル状部材であり、これらは収納台車７０の前後方向（図７において左右方向）に一定間隔をおいて並べた状態で両端部を溶接することにより枠体７１に固着されている。符号８０は、折り畳められた状態の折り畳み椅子を示す。図示のように、最前に位置する折り畳み椅子８０は、その脚部８１が係止部材７２に係止され、背部の一部が連結部材７５に寄り掛かるようにして立て掛けられている。また最前に位置しない他の折り畳み椅子８０は、その脚部８１が係止部材７２に係止され、背部の一部が前方側で隣接する折り畳み椅子８０に寄り掛かるようにして立て掛けられている。このようにして複数の折り畳み椅子８０が収納台車７０内に収納されている。
【特許文献１】実開昭５４−０５３９０７号公報
【特許文献２】実開昭５５−１５２１８６号公報
【特許文献３】実開昭５６−０１６５７８号公報
【発明の開示】
【発明が解決しようとする課題】
【０００４】
しかしながら、上述のような従来の収容台車７０は、折り畳み椅子８０の脚部を係止する複数の係止部材７２を、溶接あるいは締結具等を使用して枠体７１に一つ一つ取り付けなければならないため、取付作業が非常に面倒であり、作業時間も長く、その結果、収容台車の製造コストが高くなってしまうという問題があった。
【０００５】
本発明は、上述のような従来技術の問題点に鑑みてなされたものであり、取付作業を簡単にし、作業時間も短くすることができ、もって、収容台車の製造コストを低減することができる収納台車、それに適用可能な係止プレートの製造方法及び該製造方法により製造された収納台車用の係止プレートを提供することを目的とする。
【課題を解決するための手段】
【０００６】
本発明は、複数の折り畳み器具を収納することが可能な収納台車であって、台枠と、前記台枠に取り付けられ、前記折り畳み器具を係止する係止プレートとを備え、前記係止プレートは、一定間隔で打ち抜かれた複数の開口を有し、該開口に前記折り畳み器具の一部を係止させて該折り畳み器具を収納することを特徴とする収容台車を提供する。
【０００７】
本発明は、また、複数の折り畳み器具を収納することが可能な収納台車であって、台枠と、前記台枠に取り付けられ、前記折り畳み器具を係止する係止プレートとを備え、前記係止プレートは、前記係止プレートの長手方向に一定間隔で打ち抜かれた複数の開口を有し、前記係止プレートの長手方向に対して直交する短手方向の両端部は、前記各開口の該短手方向の両端部分を含むように下方に折り曲げられており、これによって、前記各開口の該両端部分によって前記折り畳み器具の一部を係止可能であることを特徴とする収容台車を提供する。前記係止プレートの前記両端部は、さらに外方に折り曲げられてフランジ状に形成されていてもよい。また折り畳み器具は、折り畳み椅子であり、該折り畳み椅子の脚部が開口に係止可能とすることができる。
【０００８】
本発明は、また、複数の折り畳み器具を収納することが可能な収納台車に適用可能な、該折り畳み器具の一部を係止するための係止プレートの製造方法であって、剛性を有する平板をその長手方向に沿って一定間隔で打ち抜いて複数の開口を形成する打ち抜き工程と、前記打ち抜き工程において前記複数の開口が形成された前記平板の長手方向に対して直交する短手方向の両端部を、前記各開口における前記平板の短手方向の両端部分を含むように下側に折り曲げて係止プレートとする第１折り曲げ工程とを備えていることを特徴とする係止プレートの製造方法を提供する。また、第１折り曲げ工程後に前記係止プレートの前記両端部を外方に折り曲げてフランジ部を形成する第２折り曲げ工程をさらに備えていてもよい。更に本願の他の発明は、上記係止プレートの製造方法により製造された収納台車用の係止プレートである。
【発明の効果】
【０００９】
本発明によれば、折り畳み椅子などの折り畳み器具を係止する係止プレートが、係止プレートの長手方向に一定間隔で打ち抜かれた複数の開口を有し、係止プレートの長手方向に対して直交する短手方向の両端部が、各開口における係止プレートの短手方向の両端部分を含むように内方に折り曲げられおり、これによって、各開口の両端部によって折り畳み器具を係止するようにしている。従って、従来のように一脚の椅子に対して一つの係止部材を用意し、各係止部材を溶接等によって台枠に一つ一つ取り付ける必要がなく、取付作業を簡単にし、作業時間も短くすることができ、もって、製造コストを低減することができる。また、作業現場における組み立ても容易に行うことができる。
【発明を実施するための最良の形態】
【００１０】
以下、本願発明を実施するための最良の形態について図面を参照しながら説明する。図１において、符号１００は、学校の体育館に設置されているステージを示しており、符号１は、このステージ１００の内部に格納される、体育館内で使用される折り畳み器具としての折り畳み椅子８０を収容可能な収納台車を示している。図１乃至図３に示すように、収納台車１は、台枠２と、台枠２に取り付けられ、複数の折り畳み椅子８０が立て掛けられた状態を維持するように折り畳み椅子８０の脚部が係止する係止プレート３とを主に備えている。
【００１１】
台枠２は、その底部４が長方形状に枠組みされて形成されている。台枠２の前部５（引き出される側）は、底部４の前端から垂設され、矩形状に枠組みされて形成されている。また、図示していないが、台枠２の後部も、底部４の後端から垂設され、矩形状に枠組みされている。図１乃至図４に示すように、台枠２の前部５には、ステージ１００と同じ材質、例えば、ステージ１００が木製である場合には木製のパネル６が取り付けられている。このパネル６の裏面（台枠側）には、上下寸法がパネル６の上下寸法よりも僅かに小さい鉄板７が図示しない適当な手段によって張設されており、鉄板７が台枠２の前部５にネジ８等の適当な取付手段によって取り付けられている。すなわち、パネル６は鉄板７を介して台枠２の前部５に取り付けられている。作業者は、このパネル６の側端部を手で掴んで収納台車１を移動させることができる。因みに、このように鉄板７を介してパネル６を台枠２に取り付けることにより、台枠２に対するパネル６の取付強度を増すことができる。
【００１２】
台枠２の底部４には、キャスターとしての左右一対のゴム製のメインローラー９が奥行方向（図２において左右方向）に一定間隔をおいて複数設けられている。図５によく示すように、メインローラー９は、台枠２の底部４に取り付けられたシャフト１１に回転可能に取り付けられており、シャフト１１のメインローラー９の内側には、メインローラー９よりも小径で、かつ、両端にフランジが設けられた鋼鉄製の補助ローラー１０が回転可能に取り付けられている。ステージ１００の格納部内には、レール１２がステージ１００の奥行方向に沿って敷設されており、このレール１２上で補助ローラー１０が転動可能である。また、レール１２の前端部１４は前側へ向かって傾斜している（図２の破線部分を参照）。
【００１３】
図示のように補助ローラー１０がレール１２上に載った状態では、メインローラー９は床から離れた状態になっている。従って、収納台車１がステージ１００の格納部内にあるときには、メインローラー９は床面から浮いた状態にあり、収納台車１は補助ローラー１０によってレール１２上で支持される。そして、収納台車１をステージ１００の格納部から引き出す際に、傾斜面を通過したメインローラー９が順に床面に接して、収納台車１はメインローラー９によって支持されるようになる。これにより体育館の床面を傷つけることなく収納台車１を床面上に引き出すことが可能となる。
【００１４】
ステージ１００の格納部内の前面側には、左右一対の案内リブ１３が配設されている。この案内リブ１３は、全ての補助ローラー１０がレール１２の前端を通過してレール１２から離れた後、収納台車１を格納部内に戻すときに、レール１２に対して補助ローラー１０を誘導し、その位置決めを容易にするためのものである。
【００１５】
次に、本発明の特徴部分である係止プレートについて説明する。収納台車１の枠体２には、折り畳み椅子８０を係止して収納台車１に収納する係止プレート３が取り付けられている。図６（ｃ）に良く示されているように、係止プレート３には、複数の開口１６が係止プレート３の長手方向に沿って一定間隔で打ち抜き加工され形成されている。この開口１６は、係止プレート３の長手方向に対して直交する方向に長い辺を有する長方形状に形成されている。図６（ｃ）によく示すように、係止プレート３の長手方向に対して直交する短手方向の両端部１７は、前記各開口１６の短手方向での両端部分、すなわち、図６（ｂ）に示すように折り曲げ加工する前の各開口１６の長手方向（図６（ｂ）では上下方向になっている）の両端部分３０を含むように下側に直角に折り曲げられている。これにより、後述するように各開口１６の両端部分３０には、折り畳み椅子８０の下端を係止するための部分２９が形成される。さらに、係止プレート３の両端部１７の縁は、外方に直角に折り曲げられてフランジ部１８が形成されており、このフランジ部１８を溶接や締結具等を使用して枠体２に固着することができる。
【００１６】
この係止プレート３は、図６（ａ）〜（ｄ）に示す手順で製造することができる。即ち図６（ａ）に示すように、まず、剛性を有する金属板等の平板１９を用意し、図６（ｂ）に示すように、平板１９をその長手方向に一定間隔で矩形状に打ち抜いて複数の開口１６を形成する（打ち抜き工程）。次に、図６（ｃ）、（ｄ）に示すように、打ち抜き工程において複数の開口１６が形成された平板１９の長手方向に直交する短手方向の両端部１７を、各開口１６の長手方向の両端より僅かに内側の位置（図６（ｂ）で仮想線３１で示す）で、すなわち、各開口１６の長手方向の両端部分３０を含むように、下側に直角に折り曲げる（第１折り曲げ工程）。次に、第１折り曲げ工程後の板の両端部を仮想線３３で示す位置において外方に直角に折り曲げて係止プレート３を形成する（第２折り曲げ工程）。尚、本実施の形態では、最初に仮想線３１を折り曲げているが、最初に仮想線３３を折り曲げた後で仮想線３１を折り曲げるようにしても良い。
【００１７】
上述のようにして形成された係止プレート３は、長方形状に枠組みされた台枠２の底部４に取り付けられる。図１乃至図３に示すように、係止プレート３は、収納台車１の長手方向に沿って二列に配設されており、それぞれの列において、複数の係止プレート３が直列に接続して配置されている。尚、各係止プレート３は、図示しない溶接、締結具等の適宜の手段によって台枠２の底部４に取り付けられている。
【００１８】
また、各係止プレート３の上方であって２つの係止プレート３の列の中間には、前後方向に亘って棒状部材２０が取り付けられている。この棒状部材２０からは、複数の寄掛り棒状部材２１が開口１６の延びる方向と平行に設けられている。図２によく示すように、各寄掛り棒状部材２１は、各係止プレート３において折り畳み椅子８０の脚部下端が係止すべき最も前側の開口１６よりも前側の上方に位置するように設けられている。寄掛り棒状部材２１は、各係止プレート３の最も前側に脚部が係止している折り畳み椅子８０の背部を支持することにより、これを立て掛けた状態に保持するためのものである。
【００１９】
次に、折り畳み椅子８０を収納台車１へ収納する方法について説明する。図１及び図２に示すように、収納台車１をステージ１００の格納部から引き出す。一脚目の折り畳まれた折り畳み椅子８０の脚部８１を、係止プレート３の最前位置に形成された開口１６の両端部分３０に係止し、かつ、折り畳み椅子８０の背部を寄掛り棒状部材２１に当接させて立て掛けた状態にして収納する。二脚目以降の折り畳み椅子８０は、その脚部８１を係止プレート３の開口１６の両端部分３０に係止し、かつ、折り畳み椅子８０の背部の前方側で立て掛けられている隣接する折り畳み椅子８０に当接した状態で立て掛けて収納する。尚、図示のものは、一つの開口１６の両端部分３０に対して一脚の折り畳み椅子８０を係止しているが、一つの開口１６の両端部分３０に対して複数の折り畳み椅子８０を係止することも可能である。
以上、本願発明を、折り畳み椅子を折り畳み器具の例として説明したが、その他、折り畳みテーブルなどを対象にした収納台車にも本発明を同様に適用することができる。
【図面の簡単な説明】
【００２０】
【図１】本発明にかかる収納台車の実施の形態を示す部分斜視図である。
【図２】上記実施の形態を示す断面図である。
【図３】上記実施の形態を示す平面図である。
【図４】上記実施の形態を示す正面図である。
【図５】上記実施の形態に適用可能なキャスターの一例を示す正面図である。
【図６】上記実施の形態に適用可能な係止プレートの一例を示しており、（ａ）は開口が形成される前の平らな係止プレートを示す平面図、（ｂ）は開口が形成された係止プレートを示す平面図、（ｃ）は開口及びフランジが形成された係止プレートを示す断面図、（ｄ）は開口及びフランジが形成された係止プレートを示す部分斜視図である。
【図７】従来の折り畳み椅子用収納台車の一例を示す側面図である。
【符号の説明】
【００２１】
１    収納台車                        ２    台枠
３    係止プレート                    ４    底部
５    前部                            ６    パネル
７    鉄板                            ８    ネジ
９    メインローラー                １０    補助ローラー
１１    シャフト                      １２    レール
１３    案内リブ                      １４    前端部
１６    開口                          １７    両端部
１８    フランジ部                    １９    平板
２０    棒状部材                      ２１    寄掛り棒状部材
３０    両端部分                      ８０    折り畳み椅子
８１    脚部                        １００    ステージ
【図１】
2005059717.tif 000003
【図２】
2005059717.tif 000004
【図３】
2005059717.tif 000005
【図４】
2005059717.tif 000006
【図５】
2005059717.tif 000007
【図６】
2005059717.tif 000008
【図７】
2005059717.tif 000009